(57)【要約】【課題】  磁気テープとリーダーテープとを、段差を低減しつつ十分な強度で接合することができる磁気テープカートリッジを提供する。【解決手段】  箱状の本体ケース内に、磁気テープ２０を巻回したテープリールが収納され、この磁気テープ２０の繰り出し端２１にリーダーテープ３０が接続された磁気テープカートリッジであって、磁気テープ２０の繰り出し端２１を、リーダーテープ３０と、接続用テープであるスプライステープ１１との間に挟み込んで接合した。【選択図】  図２
2005243175.tif 000002
【特許請求の範囲】
【請求項１】
箱状の本体ケース内に、磁気テープを巻回したテープリールが収納され、この磁気テープの繰り出し端にリーダーテープが接続された磁気テープカートリッジにおいて、
前記磁気テープの繰り出し端を、前記リーダーテープと、接続用テープであるスプライステープとの間に挟み込んで接合したことを特徴とする磁気テープカートリッジ。
【請求項２】
前記リーダーテープの一端部に、該テープの厚みを減少させた第１の段部と、該第１の段部の前記一端部側に該第１の段部からさらに厚みを減少させた第２の段部とを形成し、前記第２の段部に前記磁気テープの一方の面を接合し、前記第２の段部に接合された磁気テープの他方の面から前記第１の段部にかけて前記スプライステープを接合してなることを特徴とする請求項１記載の磁気テープカートリッジ。
【請求項３】
前記磁気テープが、前記リーダーテープの厚さ方向の略中央位置で接合されていることを特徴とする請求項１又は請求項２記載の磁気テープカートリッジ。
【請求項４】
前記リーダーテープの段部が、エッチングにより形成されていることを特徴とする請求項１〜請求項３のいずれか１項記載の磁気テープカートリッジ。
【請求項５】
前記リーダーテープの段部が、原反の切削により形成されていることを特徴とする請求項１〜請求項３のいずれか１項記載の磁気テープカートリッジ。
【発明の詳細な説明】
【技術分野】
【０００１】
本発明は磁気テープカートリッジに関し、特にリーダーテープと磁気テープとの接合構造の改良技術に関する。
【背景技術】
【０００２】
従来より、コンピュータ情報機器の記録媒体として使用されている磁気テープは、テープリールがケース内に収容された磁気テープカートリッジとして供給されており、この磁気テープカートリッジの使用に際しては、カートリッジから磁気テープを引き出すためのリーダーテープが磁気テープ先端に接合されている（例えば特許文献１参照）。
図３に従来の磁気テープの一端部にリーダーテープが接合された状態の断面図を示した。図３に示すように、磁気テープ１の一端部は、スプライステープ２によってリーダーテープ３と接合されている。このリーダーテープ３は、例えばポリエチレンテレフタレート（ＰＥＴ）で形成され、所定の加工を施す前の原反状態では厚さがｔである。スプライステープ２による磁気テープ１とリーダーテープ３との接合状態を改善するため、リーダーテープ３の磁気テープ１側の端部１ａに、リーダーテープ３の板厚が端部に向けて減少するテーパ部３ａを設けている。このテーパ部３ａの先端に磁気テープ１の一端を突き合わせることで、端面における段差が少なくなり、両者はスプライステープ２によって略平坦状に接合される。
【０００３】
リーダーテープ３にテーパ部３ａを設ける方法を図４に示した。ローラ４及び図示しない他のローラとの間には、リーダーテープ３の長手方向の長さを横幅とするＰＥＴ等の原反５が巻回されており、モータ等の駆動手段により原反５が走行している。この走行している原反５の幅方向における一方の端部（図４においては上端）に、先端６ａがテーパ状のエンドミルを高速回転させながら接近させて、リーダーテープ３のテーパ部３ａとなる部位を加工する。テーパ部３ａの形成された原反５は、原反５の長手方向に直交する幅方向に切断することにより、リーダーテープ３が形成される。
【特許文献１】特開２０００−１１５９１号公報
【発明の開示】
【発明が解決しようとする課題】
【０００４】
ところで、磁気テープ１の先端にリーダーテープ３の先端を突き合わせ、両者をスプライステープ２によって接合する構成においては、磁気テープ１とリーダーテープ３との間の接合力は、磁気テープ１とスプライステープ２との接合部分７ａの強度、あるいは、リーダーテープ３とスプライステープ２との接合部分７ｂの強度によって支配される。従って、いずれの場合にも片面同士で接合されているため、接合力が必ずしも十分ではないという不都合があった。また、仮に、テーパ３ａを設けていない側の面もスプライステープ２によって接合すると両面接合が可能となるが、スプライステープ２がリーダーテープ３の表面から突出して段差が大きくなり、読取機のヘッドに損傷を与える虞を生じる。
【０００５】
本発明は、前述した問題点に鑑みてなされたものであり、その目的は、磁気テープとリーダーテープとを、段差を低減しつつ十分な強度で接合することができる磁気テープカートリッジを提供することにある。
【課題を解決するための手段】
【０００６】
上記目的達成のため、本発明に係る磁気テープカートリッジは、箱状の本体ケース内に、磁気テープを巻回したテープリールが収納され、この磁気テープの繰り出し端にリーダーテープが接続された磁気テープカートリッジにおいて、前記磁気テープの繰り出し端を、前記リーダーテープと、接続用テープであるスプライステープとの間に挟み込んで接合したことを特徴とする。
【０００７】
この磁気テープカートリッジによれば、磁気テープの繰り出し端をリーダーテープとスプライステープとの間に挟んで接合したので、磁気テープは表裏両面で接合されることになる。このため、従来のように片面で接合された場合と比較して、十分な接合力を得ることができる。
【０００８】
請求項２記載の磁気テープカートリッジによれば、前記リーダーテープの一端部に、該テープの厚みを減少させた第１の段部と、該第１の段部の前記一端部側に該第１の段部からさらに厚みを減少させた第２の段部とを形成し、前記第２の段部に前記磁気テープの一方の面を接合し、前記第２の段部に接合された磁気テープの他方の面から前記第１の段部にかけて前記スプライステープを接合してなることを特徴とする。
【０００９】
この磁気テープカートリッジによれば、リーダーテープにおける磁気テープを接合する側の端部に、厚さ方向に２段の段部を設けて、磁気テープの一方の面を第２の段部に載せて接合するとともに、磁気テープの他方の面とリーダーテープの第１の段部とをスプライステープによって接合するので、磁気テープを表裏両面で接合することができる。これにより、十分な接合力を得ることができる。また、スプライステープ及び磁気テープを、リーダーテープの厚さ内に収めることが可能であり、リーダーテープの表面から突出することがないので、リーダーテープを巻き取って磁気テープを繰り出す際に、スムーズな繰り出しが可能となる。
【００１０】
請求項３記載の磁気テープカートリッジによれば、前記磁気テープが、前記リーダーテープの厚さ方向の略中央位置で接合されていることを特徴とする。
【００１１】
請求項３記載の磁気テープカートリッジによれば、磁気テープをリーダーテープとスプライステープとの間で挟み込む際に、磁気テープがリーダーテープの厚さ方向の略中央に位置するようにするので、磁気テープを繰り出す際に、磁気テープの表裏両面に均等な力が作用することになる。これにより、磁気テープのいずれか一方の面に強い引っ張り力が作用して、リーダーテープやスプライステープから剥がれ易くなることを防止できる。
【００１２】
請求項４記載の磁気テープカートリッジは、前記リーダーテープの段部が、エッチングにより形成されていることを特徴とする。
【００１３】
この磁気テープカートリッジによれば、リーダーテープに設ける２段の段部をエッチングによる薬品処理によって容易に形成することができる。また、段部の面が良好な平坦面となり、磁気テープやスプライステープとの接合性が向上する。
【００１４】
請求項５記載の磁気テープカートリッジは、前記リーダーテープの段部が、原反の切削により形成されていることを特徴とする。
【００１５】
この磁気テープカートリッジによれば、リーダーテープに設ける２段の段部を、原反状態におけるリーダーテープの切削加工によってまとめて形成することができる。
【発明の効果】
【００１６】
本発明の磁気テープカートリッジによれば、磁気テープをリーダーテープとスプライステープとの間に挟み込んで、磁気テープの表裏両面で接合するので、十分な強度で接合することができる。
【発明を実施するための最良の形態】
【００１７】
以下、本発明に係る磁気テープカートリッジの好適な実施の形態について図面を参照して詳細に説明する。
図１はテープリール及びリーダーテープを収納する磁気テープカートリッジを示す斜視図、図２はリーダーテープと磁気テープとの接合部を示す断面図である。
【００１８】
図１に示すように、磁気テープカートリッジ１００では、矩形箱状の本体ケース４１内部に１個のテープリール４２を回転可能に配しており、このテープリール４２には磁気テープ２０が巻回されている。磁気テープ２０の繰り出し端２１には、本体ケース４１に収納された磁気テープ２０を本体ケース４１から安定して繰り出すために、リーダーテープ３０が接続されている。リーダーテープ３０は、磁気テープ２０の繰り出し端２１側の後端部３０ａがスプライステープ１１により磁気テープ３０に接合され、また、リーダーテープ３０の先端３０ｂには、ピン３１が取り付けられている。このピン３１は、図示省略のドライブ装置がリーダーテープ３０を引っ掛けて磁気テープ２０を繰り出す際に使用される。
【００１９】
磁気テープカートリッジ１００は、磁気テープ２０を使用しないときには、巻回されて収納されている磁気テープ１０にたるみが生じないようにロック手段によってロックされ、使用時にはドライブ装置のロック解除手段が前記ロック手段によるロックを解除される。そして、ドライブ装置がリーダーテープ３０先端のピン３１を引っ掛けて、まずリーダーテープ３０を引き出し、続いて磁気テープ２０を繰り出して、記録及び再生を行う。
【００２０】
一方、記録及び再生等が終了して磁気テープ２０を巻き取る際には、テープリール４２を高速で回転させて磁気テープ２０を巻き取る。磁気テープ２０を巻き取った後に、引き続いてリーダーテープ３０を先端のピン３１の位置近くまで巻き取る。このため、ピン３１及びリーダーテープ３０に負荷される引っ張り力や衝撃力に耐えられるように、リーダーテープ３０は強度の高いＰＥＴ等からなり、厚さも１５０〜２００μｍと磁気テープ２０に比して厚いものとなっている。また、ピン３１は、リーダーテープ３０の先端３０ｂを折り返して接着し、強固に取り付けられている。
【００２１】
図２はリーダーテープと磁気テープとの接合構造を示す断面図である。図２に示すように、この接合構造１０は、磁気テープ２０の繰り出し端２１とリーダーテープ３０の後端部３０ａとを接合するものであり、磁気テープ２０の繰り出し端２１は、リーダーテープ３０の後端部３０ａとスプライステープ１１とでサンドイッチ状に挟み込まれて接合されている。
【００２２】
つまり、リーダーテープ３０の一端部である後端部３０ａに、テープの厚みを減少させた第１の段部３２ｂを形成し、また、第１の段部３２ｂのリーダーテープ３０の後端部３０ａ側に第１の段部３２ｂからさらに厚みを減少させた第２の段部３２ａを形成し、この第２の段部３２ａに磁気テープ２０の一方の面２１ａを接合し、第２の段部３２ａに接合された磁気テープ２０の他方の面２１ｂから第１の段部３２ｂにかけて、スプライステープ１１を接合している。なお、ここでいう接合とは、接着剤や両面テープ、あるいはこれら両方を用いて接着する等の接合を意味するが、この他にも、超音波接合や加熱溶着等の他のいかなる手段を用いてもよい。
【００２３】
これにより、磁気テープ２０は、リーダーテープ３０とスプライステープ１１とにより表裏両面２１ａ，２１ｂが接合されるため、従来のように片面だけで接合されている場合と比較して、十分な接合力を得ることができる。また、従来と同じ接合強度にする場合には、リーダーテープ３０と磁気テープ１０との接合部の長さを短縮することができる。
【００２４】
ところで、リーダーテープ３０の磁気テープ２０側の端部である後端部３０ａには、厚さ方向に２段の段部３２ａ，３２ｂが設けられる。この段部３２ａ，３２ｂは、前述した図４に示すようなエンドミル６を用いて切削加工により形成することができる。このように機械加工により段部３２ａ，３２ｂを形成すれば、短時間でかつ低コストで仕上げることができる。また、エッチングによる薬品処理によっても形成することもできる。その場合には、段部３２ａ，３２ｂの面が良好な平坦面となり、磁気テープ２０やスプライステープ１１との接合性が向上する。
【００２５】
リーダーテープ３０の一方の段部３２ａには磁気テープ２０の一方の面２１ａが接着され、他方の段部３２ｂにはスプライステープ１１が接着され、スプライステープ１１は、リーダーテープ３０の他方の段部３２ｂと磁気テープ２０の他方の面２１ｂに跨って接着されているので、スプライステープ１１及び磁気テープ２０は、リーダーテープ３０の厚さ内に収めることができる。これにより、磁気テープ２０及びスプライステープ１１がリーダーテープ３０の表面から突出しないので、リーダーテープ３０を掴んで磁気テープ２０を繰り出す際に、スムーズな繰り出しが可能となる。
【００２６】
リーダーテープ３０の厚さ方向における各段部３２ａ，３２ｂの位置は、一方の段部３２ａに磁気テープ２０を接着した際に、磁気テープ２０がリーダーテープ３０の厚さ方向の略中央に位置するように段部３２ａを設定すると良い。また、他方の段部３２ｂと磁気テープ２０の他方の面２１ｂとの間に大きな段差が生じないように他方の段部３２ｂを設定すると良い。
【００２７】
これにより、磁気テープ２０をリーダーテープ３０の厚さ方向の略中央に接合することができ、磁気テープ２０を繰り出す際に、磁気テープ２０の表裏両面２１ａ，２１ｂに均等な力が作用することになる。従って、磁気テープ２０のいずれか一方の面に強い引っ張り力が作用して、リーダーテープ３０やスプライステープ１１から剥がれ易くなることを防止することができる。
【００２８】
以上説明したリーダーテープ３０と磁気テープ２０との接合構造１０によれば、磁気テープ２０をリーダーテープ３０とスプライステープ１１との間にサンドイッチ状に挟み込み、磁気テープ２０の表裏両面２１ａ，２１ｂを接合に寄与させるので、十分な強度で接合することができる。
【図面の簡単な説明】
【００２９】
【図１】テープリール及びリーダーテープを収納する磁気テープカートリッジを示す斜視図である。
【図２】リーダーテープと磁気テープとの接合部を示す断面図である。
【図３】従来のリーダーテープと磁気テープとの接合構造を示す断面図である。
【図４】リーダーテープのテーパ加工の一例を示す説明図である。
【符号の説明】
【００３０】
１０  接合構造
１１  スプライステープ
２０  磁気テープ
２１  繰り出し端
３０  リーダーテープ
３０ａ  後端（磁気テープ側端部）
３２ａ，３２ｂ  段部
４１  本体ケース
【図１】
2005243175.tif 000003
【図２】
2005243175.tif 000004
【図３】
2005243175.tif 000005
【図４】
2005243175.tif 000006